(57)【要約】【課題】透明な表示窓の端面やコーナー部からの光による映り込みを別途部品など取り付けることなく容易に、低コストで防止し、表示内容の視認性を向上させることを可能にする。【解決手段】表示部２０２の上部に透明な表示窓１０７を備える電子機器において、前記表示窓１０７が凸形状１０７ａで、前記凸部１０７ａの端面１０７ｉが、前記表示部の表示面より垂直方向に設けた表示窓であり、前記端面１０７ｉにエッチングを有している。前記表示窓１０７が凸形状１０７ａで、前記凸部１０７ａの端面を前記表示部の表示面より垂直方向に設けた表示窓構造の製造方法として、成型金型のキャビティプレート５０１と入れ子５０８とを有し、前記凸部１０７ａを前記入れ子５０８で成型するステップと、前記端面１０７ｉをキャビティプレート５０１で成型するステップと、前記キャビティプレート５０１でエッチング５０１ｂを行なうステップとを含んでいる。【選択図】　図７
2004085694.tif 000002
【特許請求の範囲】
【請求項１】
表示部の上部に透明な表示窓を備える電子機器において、
前記表示窓が凸形状で、前記凸部の端面が、前記表示部の表示面より垂直方向に設けた表示窓であり、前記端面にエッチングを有することを特徴とする電子機器。
【請求項２】
表示部の上部に透明な表示窓を備える電子機器において、
前記表示窓が凸形状で、前記凸部の端面を前記表示部の表示面より垂直方向に設けた端面と、表示を見る側の平面と、前記端面と前記平面とのコーナー部を有する表示窓であり、前記コーナー部がエッジとなることを特徴とする電子機器。
【請求項３】
前記端面にエッチングを有することを特徴とする請求項２記載の電子機器。
【請求項４】
表示窓が凸形状で、前記凸部の端面を前記表示部の表示面より垂直方向に設けた表示窓構造の製造方法であって、
成型金型のキャビティプレートと入れ子とを有し、
前記凸部を前記入れ子で成型するステップと、
前記端面をキャビティプレートで成型するステップと、
前記キャビティプレートでエッチングをするステップとを含むことを特徴とする表示窓構造の製造方法。
【請求項５】
表示窓が凸形状で、前記凸部の端面を前記表示部の表示面より垂直方向に設けた端面と、表示を見る側の平面と、前記端面と前記平面とのコーナー部を有する表示窓構造の製造方法であって、
成型金型のキャビティプレートと入れ子とを有し、
前記凸部を前記入れ子で成型するステップと、
前記端面をキャビティプレートで成型するステップと、
前記キャビティプレートと前記入れ子でエッジにするステップとを含むことを特徴とする表示窓構造の製造方法。
【発明の詳細な説明】
【０００１】
【発明の属する技術分野】
本発明は、表示部の上部に透明な表示窓を備える電子機器およびその表示窓構造の製造方法に関する。
【０００２】
【従来の技術】
従来より、電子機器の表示装置には液晶が多く使われており、その液晶表示装置の表示品位を高めたり液晶を保護するために、液晶表示装置の表示部にアクリルなどの表示窓を設けていた。
【０００３】
ところが、この表示窓に外光が照射され、その外光の反射で表示画面の内容が見えにくくなるといった問題点があり、この反射を低減させるものとして、実開平１−９４９８０号公報に示すように、表示窓としてのフロントカバーに一体成型し、表面に細かいシボを設けて表面反射を低減させるものが提案されていた。
【０００４】
また一方で、電子機器の表示窓に端面を有するものは、この端面による光の反射や表示窓のコーナー部での光の集束などが発生し、表示部に光の帯が映し込まれており、この光の反射や集束について図面を基に説明する。なお、図面中の同符号は、同じものである。
【０００５】
図９は、電子機器Ｆの表示部分のみの図面である。
【０００６】
電子機器Ｆの上キャビネット９０１で表示部分を覆っている表示範囲９０２であり、この表示範囲９０２で、表示内容が確認することができる。この図面上では、液晶表示である数字の「０」９０３と小数点「．」９０４が表示されてる。この電子機器Ｆの表示部分の断面図の概略図面が図１０である。
【０００７】
図１０にて、電子機器Ｆの上キャビネット９０１には、開口部１００１を設けて、この開口部１００１に表示窓１００２がある。この表示窓１００２の上面は、上キャビネット９０１の上面とおおよそ同じ高さになっている。この表示窓１００２の下部には、液晶表示装置の液晶１００３がある。この表示窓１００２は、アクリルなど透明な材料でできており、液晶１００３に表示された内容が、電子機器Ｆの表示範囲９０２から確認することができる。
【０００８】
図１１は、表示窓１００２の端面１１０１での光の反射を現している。
【０００９】
表示窓１００２には、表示窓１００２の上面１１０２と、上キャビネット９０１の断面部と接合する表示窓１００２の端面１１０１と、上キャビネット９０１から表示窓１００２が飛び出さないようにするためのツバ部１１０３がある。
【００１０】
この場合、表示窓１００２の上面１１０２から（図面上では左側から）光が入ってくると、表示窓１００２の端面１１０１で光が反射して、液晶１００３に映される。
【００１１】
表示窓１００２に入ってくる光が、表示窓１００２の端面１１０１の上部１１０４で反射した場合は、「Ｇ」に図示しているように反射され、液晶１００３の１１０５の部分に映し出される。
【００１２】
また、表示窓１００２に入ってくる光が、表示窓１００２の端面１１０１の下部１１０６で反射した場合は、「Ｈ」に図示しているように反射され、液晶１００３の１１０７の部分に映し出される。そして、図９の１１０５、１１０７のように帯状に映し出されるようになる。
【００１３】
図１２は、表示窓１００２のコーナー部１２０１の光の反射を現している。
【００１４】
表示窓１００２の上面１１０２と端面１１０１とが合うコーナー部１２０１がある。このコーナー部１２０１は、Ｒ形状になっており、外部から光が入ってくると光が集束されてしまう。これにより、このコーナー部１２０１から入ってくる光「Ｉ」、「Ｊ」、「Ｋ」がコーナー部１２０１を通り、それぞれの光が１２０３、１２０４、１２０５となり、液晶１００３に映される。外部から入ってくる光「Ｌ」は、コーナー部１２０１のＲ形状がない部分とある部分の境目であるため光の集束は起こらないが、１２０６の位置から１２０３の位置までの範囲には、液晶１００３に映し出され図１３の１２０３、１２０６のように帯状に表示部から見える。
【００１５】
次に、図１４において、表示窓１００２を金型で製造する金型構造を説明する。
【００１６】
１４０１は、金型が開いたときに表示窓１００２が取り付いているゲート部１４０２があるキャビティプレートである。１４０３は、金型が開いたときに表示窓１００２から離れていくコアプレートである。表示窓１００２の外形がキャビティプレート１４０１とコアプレート１４０３に掘り込まれていて樹脂が流れ込んで表示窓１００２が成型される。１４０４は、樹脂材料が押し出される射出ノズル１４０５とスプルー１４０７からゲート部１４０２までを形成する部分がランナー１４０６で、このスプルー１４０７を形成するスプループレートである。このように３つのプレートを持つ方式が３プレート方式という。
【００１７】
キャビティプレート１４０１で、表示窓１００２の上面１１０２を金型で成型する部分が１４０７である。コアプレート１４０３で、表示窓１００２の底面を金型で成型する部分が１４０８である。この金型上面１４０７と金型底面１４０８は、表示窓１００２の透明度を高めるために金型を磨く鏡面仕上げの加工をする。このとき、ペーパーやすりなどにより金型を磨くが、表示窓１００２の上面１４０７を磨く際に、表示窓１００２の金型における側面部１４０１ａも磨かれ鏡面仕上げとなる。これにより上述のように表示窓１００２の端面１１０１に光の反射を発生させることになる。
【００１８】
また、キャビティプレート１４０１で、表示窓１００２を形成するために掘り込まれている凹部は、切削加工か放電加工により作成されるが、金型上面１４０７と側面部１４０１ａとのコーナー部１４０１ｂには、加工方法上、僅かながらＲが付く。このＲの値は、最小でもＲ０．２ｍｍ程度となる。これにより上述のように表示窓１００２のコーナー部１２０１で光の集束を発生させることになる。
【００１９】
【発明が解決しようとする課題】
前記従来の電子機器によれば、実開平１−９４９８０号公報に記載された考案では、表示窓の上面からの光の反射は低減できるが、表示窓の端面からの反射についてはなんら考慮されておらず、表示窓の端面からの反射による映り込みにより、表示部に光の帯が現れ、表示装置の表示内容の視認性を悪くするという問題点や、表示窓の上面と端面との間のコーナー部のＲ形状により光の集束が起き、表示部への映り込みが発生し、表示部に光の帯が現れ、表示装置の表示内容の視認性を悪くするという問題点があった。
【００２０】
本発明はこのような実情に鑑みて創案されたものであり、その目的は、透明な表示窓の端面やコーナー部からの光による映り込みを防止し、表示内容の視認性を向上させる電子機器およびその表示窓構造の製造方法を提供することにある。
【００２１】
【課題を解決するための手段】
前記目的を達成するために、本発明は、表示部の上部に透明な表示窓を備える電子機器において、前記表示窓が凸形状で、前記凸部の端面が、前記表示部の表示面より垂直方向に設けた表示窓であり、前記端面にエッチングを有する構成としたものである。
【００２２】
したがって、本発明によれば、表示窓の端面による光の反射での映り込みを防止するために、別途部品などを取り付けることなく容易に、低コストで映り込み防止を行うことができる。
【００２３】
また、本発明は、表示部の上部に透明な表示窓を備える電子機器において、前記表示窓が凸形状で、前記凸部の端面を前記表示部の表示面より垂直方向に設けた端面と、表示を見る側の平面と、前記端面と前記平面とのコーナー部を有する表示窓であり、前記コーナー部がエッジとなる構成としたものである。
【００２４】
したがって、本発明によれば、表示窓の端面と表示窓の平面とのコーナー部による光の屈折での映り込みを防止するために、別途部品などを取り付けることなく容易に、低コストで映り込み防止を行うことができる。
【００２５】
また、本発明は、前記の構成に加え、前記端面にエッチングを有する構成としたものである。
【００２６】
したがって、本発明によれば、表示窓の端面による光の反射での映り込みと、表示窓の端面と表示窓の平面とのコーナー部による光の屈折での映り込みの両方の防止を別途部品などを取り付けることなく容易に、低コストで映り込み防止を更に確実に行うことができる。
【００２７】
また、本発明は、表示窓が凸形状で、前記凸部の端面を前記表示部の表示面より垂直方向に設けた表示窓構造の製造方法として、成型金型のキャビティプレートと入れ子とを有し、前記凸部を前記入れ子で成型するステップと、前記端面をキャビティプレートで成型するステップと、前記キャビティプレートでエッチングをするステップとを含むようにしたものである。
【００２８】
したがって、本発明によれば、別途部品などを取り付けることなく金型に加工を加えるだけで容易に、表示窓の端面による光の反射での映り込みを防止できる表示窓構造を製造することができる。
【００２９】
さらに、本発明は、表示窓が凸形状で、前記凸部の端面を前記表示部の表示面より垂直方向に設けた端面と、表示を見る側の平面と、前記端面と前記平面とのコーナー部を有する表示窓構造の製造方法として、成型金型のキャビティプレートと入れ子とを有し、前記凸部を前記入れ子で成型するステップと、前記端面をキャビティプレートで成型するステップと、前記キャビティプレートと前記入れ子でエッジにするステップとを含むようにしたものである。
【００３０】
したがって、本発明によれば、別途部品などを取り付けることなく金型に加工を加えるだけで容易に、表示窓の端面と表示窓の平面とのコーナー部による光の屈折での映り込みを防止できる表示窓構造を製造することができる。
【００３１】
【発明の実施の形態】
以下、本発明の実施の形態について、図面を参照して説明する。
【００３２】
図１は、本発明の具体的は電子機器Ａの外観図を示す。なお、本電子機器は、電卓を例としているが、これに限るものではなく、携帯情報端末装置や携帯電話などのように透明な表示窓を有する情報処理装置であってもよい。
【００３３】
図１において、電子機器Ａは、外観部を構成する上キャビネット１０１と、値数を入力する値数キー１０２と、演算を入力する演算キー１０３と、機能を切り替えるファンクションキー１０４と、四捨五入切り替えや少数点より以下の表示桁数を切り替えるスライドスイッチ１０５とを備えた操作部がある。
【００３４】
電子機器Ａの表示枠１０６には、表示窓１０７が取り付けられている。表示内容は、数字の「０」１０９と、小数点「．」１１０が表示されてる。また、光を電気エネルギーに変え電子機器を駆動するソーラーパネル１０８が備わっている。
【００３５】
図２は、電子機器Ａの表示枠１０６部分の概略構造図であり、構成について説明する。
【００３６】
図面上の左側は、電子機器Ａの上面部であり操作部側となる。上キャビネット１０１には、開口部２０１があり、この上キャビネット１０１の下部には表示窓１０７があり、その下部には表示装置であるＬｉｑｕｉｄ　Ｃｒｙｓｔａｌ　Ｄｉｓｐｌａｙ（ＬＣＤ）２０２があり、その下部にはＣＰＵ等を有したＰｒｉｎｔｅｄ　Ｃｉｒｑｕｉｔ　Ｂｏａｒｄ（ＰＣＢ）２０３がある。ＬＣＤ２０２の下部には、ＬＣＤ２０２を押さえるためのクッション２０６が貼り付けられている下キャビネット２０５がある。
【００３７】
前記開口部２０１には、表示窓１０７の凸部１０７ａが嵌められ、表示窓１０７のツバ部１０７ｂが、上キャビネット１０１の裏側１０１ｂに当たるようになっている。凸部１０７ａの端面１０７ｉと上キャビネット１０１の端面１０１ｃとが隣接する。この表示窓１０７の上面１０７ｃと、上キャビネット１０１の上面１０１ａとは、おおよそ同じ高さである。そして、表示窓１０７のツバ部１０７ｂの上面１０７ｄと上キャビネット１０１の裏面１０１ｂとが接触する。この表示窓１０７は、アクリルなど透明な材料でできており、ＬＣＤ２０２に表示された内容が、電子機器Ａの表示枠１０６から確認することができる。
【００３８】
ＬＣＤ２０２とＰＣＢ２０３とをつなぐには、Ｈｏｔ　Ｍｅｌｔ　Ｆｉｌｍ（ＨＭＦ）２０４で行なわれている。
【００３９】
これらは、上キャビネット１０１と下キャビネット２０６との間に表示窓１０７とＬＣＤ２０２があり、上キャビネット１０１と下キャビネット２０６を固定するとクッション２０６で押さえられ、表示窓１０７とＬＣＤ２０２が取り付けられる。
【００４０】
図３は、表示窓１０７を現した外形図面である。それぞれについて説明を行なう。
【００４１】
図３ａは、表示窓１０７の正面図で外観側から見た図面であり、図３ｂは、表示窓１０７の裏面図でＬＣＤ側から見た図面であり、図３ｃは、表示窓１０７の側面図で右側から見た図面であり、図３ｄは、表示窓１０７の側面図で手前側からみた図面である。
【００４２】
１０７ａの凸部は、電子機器Ａの表示枠１０６から見える部分である。１０７ｂのツバ部は、電子機器Ａの上キャビネット１０１により隠れる部分である。１０７ｃの上面は、電子機器Ａの上キャビネット１０１の外形ラインとほぼ同一ラインである。
【００４３】
図３ｂの裏面図で、ＬＣＤ２０２を取り付けるときの位置決め用リブ１０７ｅ、１０７ｆ、１０７ｇ、１０７ｈが４箇所設けている。
【００４４】
図４は、表示窓１０７にＬＣＤ２０２が取り付けられた状態の図面である。それぞれについて説明を行なう。なお、表示窓１０７とＬＣＤ２０２以外の部品は省略している。
【００４５】
図４ａは、表示窓１０７の正面図で外観側から見た図面であり、図４ｂは、表示窓１０７の裏面図でＬＣＤ側から見た図面であり、図４ｃは、表示窓１０７の側面図で右側から見た図面であり、図４ｄは、表示窓１０７の側面図で手前側からみた図面であり、図４ｅは、Ｙ軸中心部での断面図であり、図４ｆは、Ｘ軸中心部での断面図ある。
【００４６】
図４ｂの位置決め用リブ１０７ｅ、１０７ｆ、１０７ｇ、１０７ｈが、ＬＣＤ２０２の各コーナー部に設けられており、表示窓１０７にＬＣＤ２０２が取り付けられると、このコーナー部は、殆ど隙間がなくなるように位置決め用リブが形成されている。
【００４７】
次に、表示窓１０７を成型する金型について図面を基に説明する。
【００４８】
図５は、表示窓１０７を成型する金型構成を分離した状態の図面で、図６は、表示窓１０７を成型する金型を組み立てた状態の図面である。
【００４９】
５０１は、金型が開いたときに表示窓１０７に取り付いているゲート部５０２とランナー５０３があり、表示窓１０７の形状に金型が掘り込まれていて樹脂が流れ込んでいくキャビティプレートである。５０４は、金型が開いたときに表示窓１０７が離れていくコアプレートである。このコアプレート５０４は、表示窓１０７の裏面を形成する。５０６は、樹脂材料が押し出される射出ノズル５０５と射出ノズル５０５からキャビティプレート５０１までの樹脂の通り道がスプール５０６である。このスプール５０６が設けられている金型がスプールプレート５０）である。
【００５０】
前記のキャビティプレート５０１には、表示窓１０７の上面１０７ｃを成型するために別の金型を作成しており、この別金型が入れ子５０８である。この入れ子５０８は、ボルト５０９によりキャビティプレート５０１に取り付ける。このように、金型の構成としては、スプールプレート５０７とキャビティプレート５０１とコアプレート５０４の金型にて構成される。
【００５１】
前記金型を射出成型機にセットして樹脂を挿入すると空洞部に流れていき表示窓１０７が形成される。表示窓１０７の凸部端面１０７ｉを成型する金型は、キャビティプレート５０１の一部である端面５０１ａとなる。表示窓１０７の上面１０７ｃを成型する金型は、入れ子５０８の一部である平面５０８ａとなる。この端面５０１ａと平面５０８ａは、キャビティプレート５０１と入れ子５０８で別々の金型で構成されているので、分解させて金型の仕上げ加工が容易に行える。表示窓１０７は、表示内容をより見やすくするために表示窓１０７の透明度を高めることが必要となる。透明度を高めるためには、金型を磨く鏡面仕上げを行うことになる。この鏡面仕上げをするときには、金型を分解し、入れ子５０８の平面５０８ａを鏡面仕上げする。この場合、従来技術のように表示窓の端面５０１ａとは、一体ではないのでこの端面５０１ａも鏡面仕上げになることはない。そして、この端面５０１ａに別の仕上げ加工が行うことができ、例えばエッチング加工５０１ｂなどができる。また、キャビティプレート５０１の端面５０１ａと、入れ子５０８の平面５０８ａとが別々の金型を合わせているため金型のコーナー部５０１ｃにＲ形状はなくエッジの形状が可能となる。
【００５２】
前記の金型にて成型した表示窓１０７の光の反射について、以下の図面を基に説明する。
【００５３】
図７は、電子機器Ａに表示窓１０７を取り付けた状態の一部分を現した図面である。表示窓１０７には、凸部１０７ａとツバ部１０７ｂがあり、凸部１０７ａの端面１０７ｉと上キャビネット１０１の端面１０１ｃとが隣接している。表示窓１０７の下側にはＬＣＤ２０２がある。
【００５４】
図７は、表示窓１０７の端面１０７ｉでの光の反射を現している。
【００５５】
表示窓１０７の上面から光が入り込むと「Ｂ」に図示しているように表示窓１０７の凸部端面１０７ｉは、エッチング加工をしているため拡散されて光を乱反射する。これによりＬＣＤ２０２に映り込む光は、極めて弱められ表示内容を確認するときに目立たなくなる。
【００５６】
図８は、表示窓１０７のコーナー部１０７ｊでの光の屈折を現している。図面の構成は図７と同様である。
【００５７】
表示窓１０７のコーナー部１０７ｊは、従来とは違って、上述のより、金型構造が別々のためコーナー部１０７ｊがエッジの状態である。したがって、僅かながらのＲ形状はできない。
表示窓１０７のコーナー部１０７ｊから光が入り込むと「Ｃ」、「Ｄ」、「Ｅ」に図示しているように、従来のようにコーナー部の僅かなＲによる光の集束が現れることなく均等な光としてＬＣＤ２０２に届き、ＬＣＤ２０２への光の帯となって映り込むことはなくなる。
【００５８】
すなわち、表示窓１０７に入り込んだ光は、集束することなく等間隔の状態で進みＬＣＤ２０２に届くため光が集中して表示部分に光の帯が映り込むことはない。
【００５９】
本発明の実施例として、光の反射を防止するために金型をエッチング加工した例を説明したが、反射を防止する材料の使用やエッチング以外の加工であっても良い。また、光の集束を防止するためにエッジ形状にしたが、Ｃ面カットなどの光が集束しない形状であっても良い。
【００６０】
【発明の効果】
以上説明したように、本発明によれば、別途部品などを取り付けることなく容易に、低コストで、表示窓の端面による光の反射での映り込みや、表示窓の端面と表示窓の平面とのコーナー部による光の屈折での映り込みを防止することができる。
【図面の簡単な説明】
【図１】本発明の電子機器の一実施の形態である電卓の外観図である。
【図２】前記電卓の表示窓部分の概略構造図である。
【図３】前記表示窓の正面図と側面図である。
【図４】前記表示窓およびＬＣＤの正面図と側面図とＸ軸中心部の断面図とＹ軸中心部の断面図である。
【図５】前記表示窓を製造する金型を分離した状態を示す断面図である。
【図６】前記金型を組み立てた状態を示す断面図である。
【図７】前記表示窓の端面の光の反射状態を示す概略図である。
【図８】前記表示窓のコーナー部の光の屈折状態を示す概略図である。
【図９】従来の電子機器の表示窓部分の平面概略図である。
【図１０】前記表示窓の断面図である。
【図１１】前記表示窓の端面の光の反射状態を示す概略図である。
【図１２】前記表示窓のコーナー部の光の屈折状態を示す概略図である。
【図１３】前記表示部分の平面図である。
【図１４】前記表示窓の金型を組み立てた状態の金型構成図である。
【符号の説明】
１０１　　　上キャビネット
１０１ａ　　上面
１０１ｂ　　裏面
１０１ｃ　　端面
１０２　　　値数キー
１０３　　　演算キー
１０４　　　ファンクションキー
１０５　　　スライドスイッチ
１０６　　　表示枠
１０７　　　表示窓
１０７ａ　　凸部
１０７ｂ　　ツバ部
１０７ｃ　　上面
１０７ｄ　　ツバ部上面
１０７ｅ、１０７ｆ、１０７ｇ、１０７ｈ　　位置決め用リブ
１０７ｉ　　凸部端面
１０７ｊ　　コーナー部
１０８　　　ソーラーパネル
２０１　　　開口部
２０２　　　ＬＣＤ
２０３　　　ＰＣＢ
２０４　　　ＨＭＦ
２０５　　　下キャビネット
２０６　　　クッション
５０１　　　キャビティプレート
５０１ａ　　端面
５０１ｂ　　エッチング加工
５０１ｃ　　コーナー部
５０２　　　ゲート
５０３　　　ランナー
５０４　　　コアプレート
５０５　　　射出ノズル
５０６　　　スプール
５０７　　　スプールプレート
５０８　　　入れ子
５０８ａ　　平面
５０９　　　ボルト
【図１】
2004085694.tif 000003
【図２】
2004085694.tif 000004
【図３】
2004085694.tif 000005
【図４】
2004085694.tif 000006
【図５】
2004085694.tif 000007
【図６】
2004085694.tif 000008
【図７】
2004085694.tif 000009
【図８】
2004085694.tif 000010
【図９】
2004085694.tif 000011
【図１０】
2004085694.tif 000012
【図１１】
2004085694.tif 000013
【図１２】
2004085694.tif 000014
【図１３】
2004085694.tif 000015
【図１４】
2004085694.tif 000016